(57)【要約】【要  約】【課  題】  一対の通風管を設けて、給気および排気を同時に行う同時給排気運転を行えるようにしつつ、排気のみの運転も行えるようにする。【解決手段】  空気調和装置は、建屋の孔４に挿入される通風管２３、２４と、室内機１内に配置されるとともに第１通風管に接続される第１送風装置２１と、室内機内に配置されるとともに第２通風管に接続されて室内の空気を排気する第２送風装置２２と、制御手段４６とを備えている。そして、制御手段４６は、単独排気指示があると、第１送風装置を停止させるとともに、第２送風装置を排気運転させて、排気のみの換気運転を実行し、かつ、給排気運転指示があると、第１送風機を稼働させるとともに、第２送風装置を排気運転させて、同時給排気による換気運転を実行するから、給気および排気の両者を同時に行う同時給排気による換気運転が行えるのはもちろんのこと、排気のみの換気運転も行える。【選択図】        図６
2006170595.tif 000002
【特許請求の範囲】
【請求項１】
室内機からの冷媒配管が、建屋の孔を通って屋外に導き出されて、室外機に接続されている空気調和装置において、
前記建屋の孔に挿入される第１通風管および第２通風管と、
前記室内機内に配置されるとともに、この第１通風管に接続される第１送風装置と、
前記室内機内に配置されるとともに、前記第２通風管に接続されて、室内の空気を吸い込んで第２通風管を介して建屋外に排気する排気機能を具備する第２送風装置と、
前記第１送風装置および第２送風装置を制御する制御手段とを備え、
前記制御手段は、単独排気指示があると、第１送風装置を停止させるとともに、第２送風装置を排気運転させて、排気のみの換気運転を実行し、かつ、給排気運転指示があると、前記第１送風機を稼働させるとともに、第２送風装置を排気運転させて、同時給排気による換気運転を実行することを特徴とする空気調和装置。
【請求項２】
前記第１送風装置は、第１送風機、および、この第１送風機の吐出側を室内機内の空間と接続するとともに第１送風機の吸込側を第１通風管に接続する給気切換位置と第１送風機の吸込側を室内機内の空間と接続するとともに第１送風機の吐出側を第１通風管に接続する排気切換位置とに切り換える風路切換手段を具備したことを特徴とする請求項１に記載の空気調和装置。
【請求項３】
前記制御手段は、給排気運転指示があると、風路切換手段を給気切換位置に切り換えて第１送風機を稼働させるとともに、第２送風装置を排気運転させ、単独排気指示があると、第１送風装置を停止させるとともに、第２送風装置を排気運転させ、ダブル排気指示があると、風路切換手段を排気切換位置に切り換えて第１送風機を稼働させるとともに、第２送風装置を排気運転させることを特徴とする請求項１又は２に記載の空気調和装置。
【請求項４】
前記室内機には、空気の汚染を検出する空気汚染センサが設けられ、前記制御手段は、自動換気指示があると、空気汚染センサの検出値が高くなった際に、第１送風装置または第２送風装置の単独運転から、第１送風装置および第２送風装置の両者のダブル運転にすることを特徴とする請求項１に記載の空気調和装置。
【請求項５】
前記第２送風装置は、第２送風機、および、この第２送風機の吐出側を室内機内の空間と接続するとともに第２送風機の吸込側を第２通風管に接続する給気切換位置と第２送風機の吸込側を室内機内の空間と接続するとともに第２送風機の吐出側を第２通風管に接続する排気切換位置とに切り換える第２風路切換手段を具備したことを特徴とする請求項１に記載の空気調和装置。
【発明の詳細な説明】
【技術分野】
【０００１】
本発明は、空気調和装置に関し、特に、その換気に関する。
【背景技術】
【０００２】
従来、ルームエアコンなどの空気調和装置は一般的には、換気機能を有しておらず、室内の空気が汚れた際などには適宜、人が窓を開けるなどして、外気を取り入れて換気する必要があった。
【０００３】
そこで、従来より、空気調和装置に換気装置を設けたものが提案されている。たとえば特許文献１に記載されているように、給気ダクト（すなわち、通風管）と排気ダクトとを設け、この給気ダクトに給気用送風機を、また、排気ダクトに排気用送風機を設けた空気調和装置がある。
【特許文献１】特開２００１−３０４６４５号公報
【発明の開示】
【発明が解決しようとする課題】
【０００４】
ところで、この種の空気調和装置において、室内が煙草の煙などで充満した際などに、給気は行わず、強力に排気したい場合がある。また、逆に、室外の新鮮な空気を給気したい場合がある。しかしながら、前述のように、排気や給気を各々専用のダクトや送風機で行うと、排気時や給気時において所望の風量を得るためには、ダクトや送風機の送風能力を大きくする必要があり、ダクトや送風機の容積が大きくなって、空気調和装置の全体の大きさが大きくなる。そのため、コンパクトであることを要求されるルームエアコンなどの空気調和装置には、向いていなかった。
【０００５】
本発明は、上述の実情に鑑みてなされたものであり、一対の通風管を設けて、給気および排気の両者を同時に行う同時給排気による換気運転を行えるようにしつつ、排気のみの換気運転も行えるようにした空気調和装置を提供できるようにすることを目的としている。
【課題を解決するための手段】
【０００６】
請求項１に記載の発明は、室内機からの冷媒配管が、建屋の孔を通って屋外に導き出されて、室外機に接続されている空気調和装置において、前記建屋の孔に挿入される第１通風管および第２通風管と、前記室内機内に配置されるとともに、この第１通風管に接続される第１送風装置と、前記室内機内に配置されるとともに、前記第２通風管に接続されて、室内の空気を吸い込んで第２通風管を介して建屋外に排気する排気機能を具備する第２送風装置と、前記第１送風装置および第２送風装置を制御する制御手段とを備え、前記制御手段は、単独排気指示があると、第１送風装置を停止させるとともに、第２送風装置を排気運転させて、排気のみの換気運転を実行し、かつ、給排気運転指示があると、前記第１送風機を稼働させるとともに、第２送風装置を排気運転させて、同時給排気による換気運転を実行することを特徴とする。
【０００７】
請求項２に記載の発明は、請求項１に記載の空気調和装置において、前記第１送風装置は、第１送風機、および、この第１送風機の吐出側を室内機内の空間と接続するとともに第１送風機の吸込側を第１通風管に接続する給気切換位置と第１送風機の吸込側を室内機内の空間と接続するとともに第１送風機の吐出側を第１通風管に接続する排気切換位置とに切り換える風路切換手段を具備したことを特徴とする。
【０００８】
請求項３に記載の発明は、請求項１又は２に記載の空気調和装置において、前記制御手段は、給排気運転指示があると、風路切換手段を給気切換位置に切り換えて第１送風機を稼働させるとともに、第２送風装置を排気運転させ、単独排気指示があると、第１送風装置を停止させるとともに、第２送風装置を排気運転させ、ダブル排気指示があると、風路切換手段を排気切換位置に切り換えて第１送風機を稼働させるとともに、第２送風装置を排気運転させることを特徴とする。
【０００９】
請求項４に記載の発明は、請求項１に記載の空気調和装置において、前記室内機には、空気の汚染を検出する空気汚染センサが設けられ、前記制御手段は、自動換気指示があると、空気汚染センサの検出値が高くなった際に、第１送風装置または第２送風装置の単独運転から、第１送風装置および第２送風装置の両者のダブル運転にすることを特徴とする。
【００１０】
請求項５に記載の発明は、請求項１に記載の空気調和装置において、前記第２送風装置は、第２送風機、および、この第２送風機の吐出側を室内機内の空間と接続するとともに第２送風機の吸込側を第２通風管に接続する給気切換位置と第２送風機の吸込側を室内機内の空間と接続するとともに第２送風機の吐出側を第２通風管に接続する排気切換位置とに切り換える第２風路切換手段を具備したことを特徴とする。
【発明の効果】
【００１１】
請求項１に記載の本発明によれば、制御手段は、単独排気指示があると、第１送風装置を停止させるとともに、第２送風装置を排気運転させて、排気のみの換気運転を実行し、かつ、給排気運転指示があると、前記第１送風機を稼働させるとともに、第２送風装置を排気運転させて、同時給排気による換気運転を実行するから、給気および排気の両者を同時に行う同時給排気による換気運転が行えるのはもちろんのこと、排気のみの換気運転も行える。
【００１２】
請求項２に記載の本発明においては、第１送風装置は、第１送風機、および、この第１送風機の吐出側を室内機内の空間と接続するとともに第１送風機の吸込側を第１通風管に接続する給気切換位置と第１送風機の吸込側を室内機内の空間と接続するとともに第１送風機の吐出側を第１通風管に接続する排気切換位置とに切り換える風路切換手段を具備した構成であるから、第１送風装置を必要とする換気の形態に合わせて、給気と排気の２形態の換気機能に切り換えることができる。
【００１３】
請求項３に記載の本発明においては、前記制御手段は、給排気運転指示があると、風路切換手段を給気切換位置に切り換えて第１送風機を稼働させるとともに、第２送風装置を排気運転させ、単独排気指示があると、第１送風装置を停止させるとともに、第２送風装置を排気運転させ、ダブル排気指示があると、風路切換手段を排気切換位置に切り換えて第１送風機を稼働させるとともに、第２送風装置を排気運転させる構成であるから、風路切換手段を排気切換位置に切り換えて第１送風機を稼働させるとともに、第２送風装置を排気運転させることにより、第１送風装置および第２送風装置の両者によるダブル排気運転を行うことができ、第１送風装置および第２送風装置の何れか一方のみによる排気に比して、大きな風量を確保することができる。したがって、通風管や送風装置の容量を小さくすることができ、建屋に開ける孔の開口面積や室内機などを小さくすることができる。
【００１４】
請求項４に記載の発明においては、室内機には、空気の汚染を検出する空気汚染センサが設けられ、前記制御手段は、自動換気指示があると、空気汚染センサの検出値が高くなった際に、第１送風装置または第２送風装置の単独運転から、第１送風装置および第２送風装置の両者のダブル運転にする構成であるから、空気汚染度が高い際には、第１送風装置および第２送風装置の両者を運転させているので、室内の空気の汚れに応じて、効率よく換気することができる。しかも、空気汚染度が低くなると、第１送風装置および第２送風装置の何れか一方を停止させることができるので、ランニングコストを軽減することができる。
【００１５】
請求項５に記載の発明においては、第２送風装置は、第２送風機、および、この第２送風機の吐出側を室内機内の空間と接続するとともに第２送風機の吸込側を第２通風管に接続する給気切換位置と第２送風機の吸込側を室内機内の空間と接続するとともに第２送風機の吐出側を第２通風管に接続する排気切換位置とに切り換える第２風路切換手段を具備した構成であるから、第１及び第２送風装置の両者を給気運転としたダブル給気運転も行うことができる。
【発明を実施するための最良の形態】
【００１６】
一対の通風管を設けて、給気および排気の両者を同時に行う同時給排気による換気運転を行えるようにしつつ、排気のみの換気運転も行えるようにした空気調和装置を提供できるようにするという目的を、室内機からの冷媒配管が、建屋の孔を通って屋外に導き出されて、室外機に接続されている空気調和装置において、前記建屋の孔に挿入される第１通風管および第２通風管と、前記室内機内に配置されるとともに、この第１通風管に接続される第１送風装置と、前記室内機内に配置されるとともに、前記第２通風管に接続されて、室内の空気を吸い込んで第２通風管を介して建屋外に排気する排気機能を具備する第２送風装置と、前記第１送風装置および第２送風装置を制御する制御手段とを備え、前記制御手段は、単独排気指示があると、第１送風装置を停止させるとともに、第２送風装置を排気運転させて、排気のみの換気運転を実行し、かつ、給排気運転指示があると、前記第１送風機を稼働させるとともに、第２送風装置を排気運転させて、同時給排気による換気運転を実行することで実現した。
【実施例１】
【００１７】
次に、本発明における空気調和装置の第１実施例について、図１ないし図９を用いて説明する。図１は本発明における空気調和装置の室内機および室外機の斜視図である。図２は室内機の断面図である。図３は室内機の要部の一部切欠き斜視図である。図４はリモコンの説明図で、（ａ）が正面図、（ｂ）が前面扉を外した状態の正面図である。図５は空気調和装置の制御の説明図で、（ａ）が運転パターンの表、（ｂ）が制御装置の入出力図である。図６は給排気運転時の概略の説明図である。図７はダブル排気時の概略の説明図である。図８は操作部から換気運転モードの指示があった際のフローチャートである。図９は空気汚染センサの検出に基づく自動換気運転の際のフローチャートである。なお、図
５（ｂ）においては、換気に関する主な部品のみが記載されており、図示されていない他の部品も制御装置に接続されている。
【００１８】
まず始めに、空気調和装置の全体構成を説明する。
【００１９】
図１において、空気調和装置は、室内機１および、この室内機１と冷媒配管２で接続される室外機３を備えている。室内機１は屋内に設置され、一方、室外機３は屋外に設置されており、冷媒配管２は、建屋に形成された孔４を通って、室内機１と室外機３とを接続している。
【００２０】
また、室外機３は、冷媒を圧縮する圧縮機（図示しない）、室外機用熱交換器（図示しない）、冷媒の循環流路を切り換える冷媒流路切換弁（図示しない）および熱交換器用送風機（図示しない）などの機器を具備している。そして、室外機３の運転時には、冷凍サイクルの冷媒が室外機３から暖冷房のために冷媒配管２を介して室内機１に循環している。
【００２１】
図２において、室内機１は、室内機用熱交換器６および循環用送風機７を具備している。室内機１の前面には、可動な前面パネル８が設けられ、この前面パネル８の後側に、空気吸込口１１が設けられている。室内機１の稼働中は、前面パネル８は前側に移動して、空気吸込口１１から室内の空気を室内機１内に取り込むことが可能となる。また、室内機１の停止時には、前面パネル８は後側すなわち空気吸込口１１側に移動して見栄えを良好にしている。室内機１の下側には、空気吹出口１２が設けられている。空気吸込口１１と室内機用熱交換器６との間には、フィルタ１３（図２参照）が設けられている。また、室内機用熱交換器６の上側には、紫外線ランプ装置１４が配置されている。
【００２２】
そして、室内機１の循環用送風機７が稼働すると、室内の空気が、空気吸込口１１から吸い込まれ、フィルタ１３で濾過された後に、室内機用熱交換器６で熱交換され、空気吹出口１２から室内に吹き出している。この様にして、循環用送風機７で室内の空気を循環させながら、この空気を室内機用熱交換器６で熱交換している。
【００２３】
また、空気吹出口１２には、空気の吹き出し方向を変更するための、ルーバー１６，１７が設けられている。左右動ルーバー１６は、空気の吹き出しの左右方向の向きを変え、上下動ルーバー１７は、空気の吹き出しの上下方向の向きを変える。
【００２４】
図３において、室内機１内の端部には、第１送風装置２１および第２送風装置２２が設けられている。そして、図１および図６において、各送風装置２１，２２は、通風管２３，２４が接続され、この通風管２３，２４が、冷媒配管２と同様にして、建屋に形成された孔４を通って、屋外に導かれ、外気と連通している。
【００２５】
図６において、第１送風装置２１は給排両用送風装置で、第１送風機３１、吸込側ダンパー３２および吐出側ダンパー３３を具備している。第１送風機３１は、十分な風量を得ることができるシロッコファンであり、稼働時には、一定方向に空気を流す。また、図６および図７に図示するように、第１送風機３１の吸込側は、吸込側ダンパー３２により、第１通風管２３または室内機１内の空間の何れかに選択的に接続される。
【００２６】
一方、第１送風機３１の吐出側は、吐出側ダンパー３３により、第１通風管２３または室内機１内の空間の何れかに選択的に接続される。この様に、ダンパー３２，３３は、空気の流れを切り換える風路切換手段として機能する。
【００２７】
そして、この第１送風装置２１が給気運転の場合には、図６に図示するように、各ダンパー３２，３３は給気切換位置に切り換わる。すなわち、吸込側ダンパー３２は第１送風機３１の吸込側を第１通風管２３に接続するとともに、吐出側ダンパー３３は第１送風機３１の吐出側を室内機１内の空間に接続する。
【００２８】
一方、第１送風装置２１が排気運転の場合には、図７に図示するように、各ダンパー３２，３３は排気切換位置に切り換わる。すなわち、吸込側ダンパー３２は第１送風機３１の吸込側を室内機１内の空間に接続するとともに、吐出側ダンパー３３は第１送風機３１の吐出側を第１通風管２３に接続する。
【００２９】
第２送風装置２２は排気専用送風装置で、第２送風機４１を具備しているが、第１送風装置２１と異なり、風路切換手段であるダンパーは具備していない。第２送風機４１は、第１送風機３１と同様にシロッコファンであり、稼働時には、一定方向に空気を流す。図６および図７に図示するように、第２送風機４１は、その吸込側が室内機１内の空間に接続され、また、吐出側は第２通風管２４に接続される。
【００３０】
この様に、第１送風装置２１が給排両用送風装置で、第２送風装置２２が排気専用送風装置であるので、図５（ａ）に示すように、この第１実施例の空気調和装置の換気パターンには、給排気運転、単独給気運転、単独排気運転およびダブル排気運転の４種類ある。
【００３１】
空気調和装置の制御手段である制御装置４６は、室内機１内のマイコンなどで構成され、空気調和装置の運転を制御している。そして、特に換気に関して、図５（ｂ）に図示するように、制御装置４６には、室内機用熱交換器６付近に配置されて二酸化炭素ガスの濃度を検出するＣＯ２センサ４７、室内機用熱交換器６付近に配置されて煙草の煙の濃度を検出するガスセンサ４８、および、操作部としてのリモコン４９からの信号が入力される。ＣＯ２センサ４７およびガスセンサ４８は、空気の汚染を検出する空気汚染センサとして機能している。
【００３２】
また、制御装置４６から、第１送風装置２１の第１送風機３１、ダンパー３２，３３および第２送風装置２２の第２送風機４１などに駆動信号が出力される。さらに、制御装置４６には、その他、室内機１の各種機器および室外機３の各種機器などが入力や出力可能に接続されている。
【００３３】
リモコン４９は、図４に図示するように、表示部５１および、開閉可能な前面扉５２を具備している。そして、各種の操作ボタン５３が、前面扉５２やリモコン４９の本体に複数設けられている。換気に関する操作ボタンである換気切換ボタン５３ａおよび換気風量ボタン５３ｂは、図４（ｂ）に図示するように、前面扉５２を開けると露出し、操作可能となる。
【００３４】
また、空気の汚染度に応じて、自動的に換気させる操作ボタンである換気空清ボタン５３ｃは、図４（ａ）に図示するように、前面扉５２に設けられている。換気切換ボタン５３ａを押すと、順次、給気および排気の両者を行う給排気運転、給気のみを行う給気運転および、排気のみを行う排気運転を室内機１本体の制御装置４６に指示することができるとともに、その換気運転モードが表示部５１に表示される。
【００３５】
また、換気風量ボタン５３ｂを押すと、順次、換気風量の指示を強、中、弱にすることができ、その指示が室内機１本体の制御装置４６に入力される。
【００３６】
次に、換気運転モードが指示された際の運転のフローを、図８のフローチャートに基づいて説明する。
【００３７】
ステップ１において、換気切換ボタン５３ａが押される毎に、給排気運転、給気運転、排気運転に切り換わり、この指示がリモコン４９から制御装置４６に行く。また、換気風量ボタン５３ｂが押される度に、指示される風量が強、中、弱に切り換わり、この指示もリモコン４９から制御装置４６に行く。風量の調整は送風機３１，４１の回転数を変えることおよび、稼働される送風機３１，４１の個数（すなわち、単独かダブルか）で行われる。
【００３８】
そして、制御装置４６は、排気運転で風量が中および弱の場合には単独排気を行い、一方、排気運転で風量が強の場合にはダブル排気を行う。なお、この第１実施例の場合には、給気運転は、ダブル給気は行えず、単独給気のみが行われる。
【００３９】
制御装置４６は、給排気運転の場合にはステップ２に行き、単独給気の場合にはステップ５に行き、単独排気の場合にはステップ８に行き、ダブル排気の場合にはステップ１１に行く。
【００４０】
ステップ２において、制御装置４６はダンパー３２，３３に給気切換位置に切り換わる
ように駆動信号を出力する。なお、ダンパー３２，３３が既に給気切換位置にある場合には、制御装置４６はダンパー３２，３３をその位置に維持させる。なお、制御装置４６から信号を出力する前に、指示すべき状態にある場合にはその状態を維持させることは当然であるので、以下はその記載を省略する。そして、ステップ３に行く。
【００４１】
ステップ３において、制御装置４６は第１送風機３１に稼働信号を出力し、第１送風機３１を稼働させる。すると、給排両用送風装置である第１送風装置２１が、給気運転を行う。そして、ステップ４に行く。
【００４２】
ステップ４において、制御装置４６は排気専用送風装置である第２送風装置２２に稼働信号を出力し、第２送風装置２２を稼働させて、ステップ１に戻る。そして、再度、リモコン４９が操作され、換気運転モードが変更されるまで、その状態を維持する。
【００４３】
そして、ステップ１において単独給気の場合には、ステップ５に行く。ステップ５および６において、ステップ２および３と同様にして、制御装置４６は、給排両用送風装置である第１送風装置２１を、給気運転させる。そして、ステップ７に行く。
【００４４】
ステップ７において、制御装置４６は排気専用送風装置である第２送風装置２２を停止し、ステップ１に戻り、換気運転モードが変更されるまで、その状態を維持する。
【００４５】
また、ステップ１において単独排気の場合にはステップ８に行く。ステップ８において、制御装置４６はダンパー３２，３３に信号を出力せずに、ステップ９に行く。
【００４６】
ステップ９において、制御装置４６は第１送風機３１に停止信号を出力し、第１送風機３１を停止させる。すると、給排両用送風装置である第１送風装置２１が、停止する。そして、ステップ１０に行く。
【００４７】
ステップ１０において、制御装置４６は排気専用送風装置である第２送風装置２２に稼働信号を出力し、第２送風装置２２を稼働させて、ステップ１に戻る。そして、再度、換気運転モードが変更されるまで、その状態を維持する。
【００４８】
そして、ステップ１においてダブル排気の場合にはステップ１１に行く。ステップ１１において、制御装置４６はダンパー３２，３３に排気切換位置に切り換わるように駆動信号を出力する。そして、ステップ１２に行く。
【００４９】
ステップ１２において、制御装置４６は第１送風機３１に稼働信号を出力し、第１送風機３１を稼働させる。すると、給排両用送風装置である第１送風装置２１が、排気運転を行う。そして、ステップ１３に行く。
【００５０】
ステップ１３において、制御装置４６は排気専用送風装置である第２送風装置２２に稼働信号を出力し、第２送風装置２２を稼働させて、ステップ１に戻る。そして、再度、リモコン４９が操作され、換気運転モードが変更されるまで、その状態を維持する。
【００５１】
次に、ＣＯ２センサ４７やガスセンサ４８などの空気汚染センサの検出した空気汚染度に基づいて行われる換気運転のフローを、図９のフローチャートに基づいて説明する。
【００５２】
ステップ２０において、リモコン４９の換気空清ボタン５３ｃが押されると、換気空気清浄運転（すなわち、空気汚染度に基づく自動換気運転）の指示信号が制御装置４６に送信され、換気空気清浄運転が開始する。そして、ステップ２１に行く。
【００５３】
ステップ２１において、ＣＯ２センサ４７やガスセンサ４８の検出値である空気汚染度が制御装置４６に入力される。そして、ステップ２２に行く。ステップ２２において、制御装置４６はその空気汚染度が、予め設定されている高位設定値および中位設定値と比較して、高、中、低を決定し、高の場合にはステップ２３に行き、中の場合にはステップ２４に行き、低の場合にはステップ２５に行く。
【００５４】
そして、ステップ２３において、制御装置４６は、前述のステップ１１〜１３を実行し、ダブル排気運転を行う。そして、ステップ２１に戻り、空気汚染度が高以外になるまで、その状態を維持する。
【００５５】
また、ステップ２４において、制御装置４６は、前述のステップ８〜１０を実行し、単独排気運転を行う。そして、ステップ２１に戻り、空気汚染度が中以外になるまで、その状態を維持する。
【００５６】
さらに、ステップ２５において、制御装置４６は、送風装置２１，２２に停止信号を出力し、送風装置２１，２２を停止させる。そして、ステップ２１に戻り、空気汚染度が低以外になるまで、その停止状態を維持する。
【００５７】
この様にして、空気汚染度が高の場合にはダブル排気運転を、また、中の場合には単独排気運転を行い、さらに、低の場合には排気運転を停止させる。
【００５８】
この様にして、制御手段として制御装置は、１）給排気運転指示があると、風路切換手段を給気切換位置に切り換えて第１送風機を稼働させるとともに、第２送風装置を排気運転させる手段、２）単独排気指示があると、第１送風装置を停止させるとともに、第２送風装置を排気運転させる手段、３）ダブル排気指示があると、風路切換手段を排気切換位置に切り換えて第１送風機を稼働させるとともに、第２送風装置を排気運転させる手段などを具備している。
【００５９】
そして、制御手段は、上記手段以外にも、実行される各工程に対応して各工程を実行する手段を具備している。また、上記手段を全て具備する必要は必ずしもない。
【実施例２】
【００６０】
次に、本発明における空気調和装置の第２実施例について説明する。図１０は第２実施例の空気調和装置の制御の運転パターンの表である。図１１はダブル給気時の概略の説明図である。なお、この第２実施例の説明において、前記第１実施例の構成要素に対応する構成要素には同一符号を付して、その詳細な説明は省略する。
【００６１】
前述の第１実施例では第２送風装置２２は排気専用送風装置であるが、第２実施例では、この第２送風装置２２に代えて、第２送風装置６０が設けられている。第２送風装置６０は、第１送風装置２１と同じ給排両用送風装置で、第２送風機６１、吸込側ダンパー６２および吐出側ダンパー６３を具備している。この第２送風機６１、吸込側ダンパー６２および吐出側ダンパー６３は、第１送風装置２１の第１送風機３１、吸込側ダンパー３２および吐出側ダンパー３３と同じ構造で、同じ働きをしており、第２送風装置６０は、給気および排気の両者を行うことができる。したがって、第２実施例では、図１０に示すように、ダブル給気運転を行うことができる。
【００６２】
次に、この第２実施例の空気調和装置において、換気運転モードが指示された際の運転のフローを説明する。なお、追加または修正されるステップのみを記載する。図８のステップ１において、給気運転時に、制御装置４６は、風量が中および弱の場合には単独給気を行い、一方、風量が強の場合にはダブル給気を行う。そして、ダブル給気の際には、図
８に図示するフローに下記ステップ１４〜１６（図示は省略）が追加される。第１送風装置２１を給気運転させる（ステップ１４）とともに、ダンパー６２，６３を給気切換位置にし（ステップ１５）、第２送風機６１を稼働させる（ステップ１６）。すると、図１１に図示するように、第１送風装置２１および第２送風装置６０の両者が給気運転する。
【００６３】
また、ステップ４，７，１０，１３は、第２送風装置６０は給排両用送風装置であるので、「排気専用装置」の表示は「給排両用送風装置」となり、また、「稼働」の表示は「排気運転」となる。そして、第２送風装置６０を排気運転させるフローは、第１送風装置２１を排気運転させるフロー（ステップ１１，１２）と同じであり、ダンパー６２，６３を排気切換位置にし、第２送風機６１を稼働させる。
【００６４】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）送風機はシロッコファンであることが好ましいが、他の形式の送風機であることも可能である。
（２）各フローチャートのステップの順序は適宜変更可能である。
（３）制御手段はマイコンで構成されているが、それ以外の構成でも可能である。
（４）冷媒配管２と通風管２３，２４は、建屋の同じ孔に挿入されることも可能であるし、また、各々別の孔に挿入されることも可能である。なお、建屋の空気調和装置用の孔には、冷媒配管２や通風管２３，２４以外に、ドレンパイプ、電力線や通信線などを挿入することも可能である。
（５）空気汚染度に基づく自動換気の際に、単独排気運転やダブル排気運転を行っているが、単独給気運転やダブル給気運転を行うことも可能である。
（６）空気汚染センサは、室内の空気の汚れを検出することができるならば、適宜選択可能で、ＣＯ２センサやガスセンサ以外のセンサでも可能である。
【産業上の利用可能性】
【００６５】
制御手段が、風路切換手段を排気切換位置に切り換えて第１送風機を稼働させるとともに、第２送風装置を排気運転させることにより、第１送風装置および第２送風装置の両者によるダブル排気運転を行うことができる。そのため、排気時に大きな風量を得ることができる。したがって、空気調和とともに換気を行う空気調和装置に適用することが最適である。
【図面の簡単な説明】
【００６６】
【図１】図１は本発明における空気調和装置の室内機および室外機の斜視図である。
【図２】図２は室内機の断面図である。
【図３】図３は室内機の要部の一部切欠き斜視図である。
【図４】図４はリモコンの説明図で、（ａ）が正面図、（ｂ）が前面扉を外した状態の正面図である。
【図５】図５は空気調和装置の制御の説明図で、（ａ）が運転パターンの表、（ｂ）が制御装置の入出力図である。
【図６】図６は給排気運転時の概略の説明図である。
【図７】図７はダブル排気時の概略の説明図である。
【図８】図８は操作部から換気運転モードの指示があった際のフローチャートである。
【図９】図９は空気汚染センサの検出に基づく自動換気運転の際のフローチャートである。
【図１０】図１０は第２実施例の空気調和装置の制御の運転パターンの表である。
【図１１】図１１はダブル給気時の概略の説明図である。
【符号の説明】
【００６７】
１  室内機
２  冷媒配管
３  室外機
４  建屋の孔
２１  第１送風装置
２２  第２送風装置
２３  第１通風管
２４  第２通風管
３１  第１送風機
３２  吸込側ダンパー（風路切換手段）
３３  吐出側ダンパー（風路切換手段）
４６  制御装置（制御手段）
４７  ＣＯ２センサ（空気汚染センサ）
４８  ガスセンサ（空気汚染センサ）
６０  第２送風装置
６１  第２送風機
６２  吸込側ダンパー（第２風路切換手段）
６３  吐出側ダンパー（第２風路切換手段）
【図１】
2006170595.tif 000003
【図２】
2006170595.tif 000004
【図３】
2006170595.tif 000005
【図４】
2006170595.tif 000006
【図５】
2006170595.tif 000007
【図６】
2006170595.tif 000008
【図７】
2006170595.tif 000009
【図８】
2006170595.tif 000010
【図９】
2006170595.tif 000011
【図１０】
2006170595.tif 000012
【図１１】
2006170595.tif 000013